(57)【特許請求の範囲】
【請求項１】
複数の発光素子を配置した基板、及び、複数の前記発光素子にそれぞれ対応する複数のレンズを一体に備えたレンズ板を有する光源ユニットと、
前記光源ユニットを取り付ける取付面と、を備え、
前記レンズ板の略中央の１か所に、前記基板の中間位置決め孔に挿入されることで所定方向の移動を規制する中間位置決めピンが配置され、
前記中間位置決めピンの両側２か所に前記所定方向と略直交する方向の移動を規制する側部位置決めピンが配置され、
前記中間位置決めピンは、前記中間位置決め孔との間の隙間によって前記所定方向と略直交する方向の移動が許容される
ことを特徴とする照明器具。
【請求項２】
前記側部位置決めピンを、前記中間位置決めピンを通る直線上に配置したことを特徴とする請求項１に記載の照明器具。
【請求項３】
前記中間位置決めピンは、前記直線に沿った方向の移動を規制し、
前記側部位置決めピンは、前記直線に略直交する方向の移動を規制する
ことを特徴とする請求項２に記載の照明器具。
【請求項４】
前記中間位置決めピンは、前記レンズ板の長手方向の移動を規制し、
前記側部位置決めピンは、前記長手方向に略直交する方向の移動を規制する
ことを特徴とする請求項１乃至３のいずれかに記載の照明器具。
【請求項５】
前記中間位置決めピンを前記レンズ板の略中央に設けたことを特徴とする請求項１乃至４のいずれかに記載の照明器具。
【請求項６】
前記側部位置決めピンは、前記レンズ板の正面から見た断面形状が前記所定の方向及び該所定の方向と直交する方向に交差する略十字形の柱状に形成されている
ことを特徴とする請求項１乃至５のいずれかに記載の照明器具。
【発明の詳細な説明】
【技術分野】
【０００１】
本発明は、照明器具に関する。
【背景技術】
【０００２】
従来、ＬＥＤの高輝度化に伴いＬＥＤを光源とした道路用照明器具が開発されている（例えば、特許文献１参照）。この種のトンネル照明器具では、一般に、複数のＬＥＤを基板に並べて光源を構成するとともに、この光源の周囲に反射面を設けて所望の配光を得ている（例えば、特許文献１参照）。
【先行技術文献】
【特許文献】
【０００３】
【特許文献１】特開２０１４−１３２５９６号公報
【発明の概要】
【発明が解決しようとする課題】
【０００４】
ところで、高出力の発光素子を用いる場合等には、反射面に代えて、ＬＥＤごとにレンズを配置して配光制御する場合もある。この場合、複数のレンズを樹脂成形によって一体成形してレンズ板を構成し、レンズ板を取付板金等の取付面に固定することが考えられる。
しかしながら、樹脂成形のレンズ板を複数の固定具（例えば、ねじ）で金属板金に固定すると、樹脂と板金とは線膨張係数が異なるため、ＬＥＤの熱による熱膨張・収縮の寸法差が生じてレンズ板が反るように変形し、レンズ板に局部的な変形が生じてしまう。局部的な変形を防止するように膨張・収縮を許容すると、レンズとＬＥＤとの位置がずれ、器具から照射される光量が減少するおそれがある。
本発明は、上述した事情に鑑みてなされたものであり、レンズ板の局部的な変形を抑制しつつ、光量低下を抑制可能な照明器具を提供することを目的とする。
【課題を解決するための手段】
【０００５】
上述した目的を達成するために、本発明の照明器具は、複数の発光素子を配置した基板、及び、複数の前記発光素子にそれぞれ対応する複数のレンズを一体に備えたレンズ板を有する光源ユニットと、前記光源ユニットを取り付ける取付面と、を備え、前記レンズ板の略中央の１か所に、前記基板の中間位置決め孔に挿入されることで所定方向の移動を規制する中間位置決めピンが配置され、前記中間位置決めピンの両側２か所に前記所定方向と略直交する方向の移動を規制する側部位置決めピンが配置され、前記中間位置決めピンは、前記中間位置決め孔との間の隙間によって前記所定方向と略直交する方向の移動が許容されることを特徴とする。
【０００６】
上述の構成において、前記側部位置決めピンを、前記中間位置決めピンを通る直線上に配置してもよい。
【０００７】
上述の構成において、前記中間位置決めピンは、前記直線に沿った方向の移動を規制し、前記側部位置決めピンは、前記直線に略直交する方向の移動を規制してもよい。
【０００８】
上述の構成において、前記中間位置決めピンは、前記レンズ板の長手方向の移動を規制し、前記側部位置決めピンは、前記長手方向に略直交する方向の移動を規制してもよい。
【０００９】
上述の構成において、前記中間位置決めピンを前記レンズ板の略中央に設けてもよい。
【００１０】
また、前記側部位置決めピンは、前記レンズ板の正面から見た断面形状が前記所定の方向及び該所定の方向と直交する方向に交差する略十字形の柱状に形成されてもよい。
【発明の効果】
【００１１】
本発明によれば、中間位置決めピン及び側部位置決めピンによって、レンズ板の熱膨張・収縮が許容されるので、レンズ板の局部的な変形を抑制できる。また、中間位置決めピン及び側部位置決めピンによって、レンズの発光素子に対する移動を規制できるので、光量低下を抑制できる。
【図面の簡単な説明】
【００１２】
【図１】本発明の実施形態に係るトンネル照明器具を示す正面図である。
【図２】トンネル照明器具の設置状態を示す図である。
【図３】図１のＩＩＩ−ＩＩＩ断面図である。
【図４】光源部を示す斜視図である。
【図５】光源部を示す分解斜視図である。
【図６】光源部を示す断面図である。
【図７】レンズ板を示す図である。
【図８】係合穴とフックとの係合を示す断面図である。
【図９】係合穴とフックとの係合を示す斜視図である。
【図１０】位置決めピンを示す図である。
【図１１】光源部を示す斜視図である。
【図１２】光源部を示す分解斜視図である。
【図１３】光源部を示す断面図である。
【発明を実施するための形態】
【００１３】
以下、図面を参照して本発明の実施形態について説明する。なお、この実施形態では、照明器具の一例として、トンネル照明器具を例示する。
図１は、本実施形態に係るトンネル照明器具１を示す正面図である。図２は、トンネル照明器具１の設置状態を示す図である。なお、本明細書では、図１に示すように、紙面の手前に向けて垂直に向いた方向を正面方向、紙面上側、及び下側を上方向、及び下方向、紙面左側、及び右側を左方向、及び右方向と定義する。
【００１４】
トンネル照明器具１の構成の説明に先立って当該トンネル照明器具１の設置状態を説明する。
図２に示すように、トンネル照明器具１は、道路１１が延びるトンネル１０の壁面又は天井面（本実施形態では天井面）に、道路１１に沿って所定間隔で設置される。道路１１は、平行に延びる２本の車道外側線１２Ａ、１２Ｂで路面１２が区画されている。本実施形態では、トンネル照明器具１は、直近側（手前側）の車道外側線１２Ａから幅Ｌ１だけ路面１２に進入した位置に、灯具直下軸Ｋが遠方側（手前側と反対側）の車道外側線１２Ｂから幅Ｌ２だけ手前側に位置する姿勢でトンネル１０の天井面に設置されている。
なお、本明細書では、道路１１が延びる方向（車両が走行する方向）を縦断方向Ｊと定義し、この縦断方向Ｊに直交する方向を横断方向Ｍと定義する。
【００１５】
次いで、トンネル照明器具１の構成を説明する。
トンネル照明器具１は、図１に示すように、正面が開口した金属製の器具ケース２０を備える。器具ケース２０は、左右方向に長い正面視矩形の箱型に形成されており、正面開口２０Ａには、平板状の前面ガラス２１が嵌め込まれている。前面ガラス２１は、器具ケース２０の上側面１Ａに一対の蝶番２２で開閉自在に結合され、器具ケース２０の下側面１Ｂに一対のラッチ２３で留められている。器具ケース２０の正面開口２０Ａには、前面ガラス２１との間をシールするシール部材としてのパッキン２４が開口縁に沿って設けられている。
また器具ケース２０の背面には、トンネル１０内に設置するための金具２５が取り付けられている。
このトンネル照明器具１は、前面ガラス２１を道路１１の路面１２に対面させ、左側面１Ｃ、及び右側面１Ｄを結ぶ方向である左右方向を道路１１の縦断方向Ｊに合わせた姿勢で、トンネル１０に設置される。
【００１６】
器具ケース２０の中には、光源部３０と、電源端子台３１と、電源ボックス３２とが収められている。
光源部３０は、発光素子の一例たるＬＥＤを光源とするものであり、その詳細は後述する。電源端子台３１は、器具ケース２０の外から引き込まれた配線と、電源ボックス３２の配線とを結線する。電源ボックス３２は、光源部３０を駆動する直流電力を生成するものであり、ＡＣ−ＤＣ変換器を内蔵し、外部から供給される商用の交流電力を直流電力に変換し光源部３０に供給する。なお、電源ボックス３２は、外部からの調光指示に基づいて直流電力（例えば直流電流）を可変し、光源部３０の光量を可変してもよい。また器具ケース２０には、停電時等に使用する非常用の電力としてバッテリーを内蔵してもよい。
【００１７】
図３は、図１のＩＩＩ−ＩＩＩ断面図である。図４は光源部３０を示す斜視図であり、図５は光源部３０を示す分解斜視図である。図６は、光源部３０を示す断面図である。
光源部３０は、図３に示すように、少なくとも１つ（本実施形態では、６つ）のレンズ付ＬＥＤ基板（光源ユニット）４０と、このレンズ付ＬＥＤ基板４０を取り付ける取付板金５０とを備えている。取付板金５０は、熱伝導性に優れたアルミニウム等の材料で正面視略矩形の板状に形成され、器具ケース２０の背面部に立設された支持脚２６に固定されて、前面ガラス２１の近傍（正面開口２０Ａの近傍）に配置されている。レンズ付ＬＥＤ基板４０が前面ガラス２１の近傍に配置されることで、レンズ付ＬＥＤ基板４０の光が器具ケース２０の内壁面での遮蔽を抑えて効率良く取り出される。
【００１８】
各レンズ付ＬＥＤ基板４０は、図４乃至図６に示すように、発光素子の一例たるＬＥＤ４１が実装された基板４２と、レンズ板６０とを備え、基板４２及びレンズ板６０は重ねて取付板金５０の表面（取付面）５０Ａに取り付けられている。なお、図４、図５及び後述する図９では、６つのレンズ付ＬＥＤ基板４０のうち１つを図示し、他は省略している。
基板４２は略矩形の回路実装基板であり、取付板金５０の表面５０Ａに少なくとも１つ（本実施形態では、２つ）の固定具４３（例えば、ねじ等）で固定されている。この基板４２の表面には、ＬＥＤ４１が複数個（本実施形態では、１６つ）実装されている。本実施形態では、ＬＥＤ４１は、左右方向に２列、各列には８つずつ配置されているが、ＬＥＤ４１の数や配置構成はこれに限定されるものではない。ＬＥＤ４１は、基板４２の面に略垂直な方向に光軸Ｆを有し、この光軸Ｆが正面方向を指向する姿勢で器具ケース２０（図１）に収められている。これらのＬＥＤ４１によってトンネル照明器具１の光源が構成されている。
【００１９】
各ＬＥＤ４１には、その放射光を横長配光に制御する透過型の光制御体たるレンズ６１が設けられている。このトンネル照明器具１では、各レンズ６１は１つのレンズ板６０として構成されている。複数のレンズ６１を１つのユニットとすることで、ＬＥＤ４１ごとにレンズ６１を組み付ける手間が省け組立性の向上が図られる。
【００２０】
図７は、レンズ板６０を示す図であり、図７（Ａ）は正面図、図７（Ｂ）は右側面図、図７（Ｃ）は背面図、図７（Ｄ）は底面図である。図８は、係合穴５１とフック６３との係合を示す断面図であり、図８（Ａ）はフック６３が係合する前の図、図８（Ｂ）はフック６３が係合した後の図である。図９は、係合穴５１とフック６３との係合を示す斜視図であり、図９（Ａ）は光源部３０を下方から示す斜視図、図９（Ｂ）は図９（Ａ）のＡ部分を拡大して示す図であって、フック６３が係合する前の図、図９（Ｃ）はフック６３が係合した後の図である。
【００２１】
レンズ板６０は、図７に示すように、透明樹脂製の平板部６２を有し、その平板部６２の表面６２Ａにレンズ６１が一体に樹脂成形されている。レンズ板６０は、略矩形状を成し、その外周部には、取付板金５０に設けた係合穴５１にスライドして係合するフック（係合部）６３が一体に形成されている。本実施形態では、レンズ板６０の四隅にそれぞれフック６３が設けられている。
各フック６３は、図８に示すように、側面の２方を開放する有底角筒状に形成され、底部６３Ａと、レンズ板６０の外周に沿って延びる外壁部６３Ｂと、外壁部６３Ｂと略直交して延びる側壁部６３Ｃとを備えている。
【００２２】
フック６３は取付板金５０の係合穴５１に挿入され、スライドされて係合穴５１に係合する。その際、底部６３Ａが取付板金５０の裏面５０Ｂとスライドするスライド面となる。この底部６３Ａには、突出部６３Ｄが設けられている。突出部６３Ｄは、底部６３Ａの底面から取付板金５０の裏面５０Ｂ側に突出し、その頂部が略平面に形成されている。突出部６３Ｄは、外壁部６３Ｂ及び側壁部６３Ｃと離間して形成されている。
【００２３】
また、基板４２には、図５に示すように、レンズ板６０のフック６３に対応する位置に、フック６３を挿入する貫通孔４４が形成されている。本実施形態では、貫通孔４４は、基板４２の外周部に形成された切り欠き部として構成されている。フック６３を貫通孔４４に挿入することで、基板４２とレンズ板６０とが重ね合わされ、レンズ付ＬＥＤ基板４０として一体的にスライド可能となる。
【００２４】
取付板金５０の係合穴５１は、フック６３に対応する位置に、表面５０Ａから裏面５０Ｂに向けて打ち抜かれて形成されている。係合穴５１は、図９に示すように、フック６３を挿入する挿入部５１Ａと、フック６３の移動を許容するスライド部５１Ｂとを備えている。スライド部５１Ｂの開口は、挿入部５１Ａよりもスライド方向Ｓと直交する幅方向Ｗに狭く形成され、フック６３の外壁部６３Ｂがスライドされて挿入されると、スライド部５１Ｂの縁部がフック６３の底部６３Ａと正面視で重なる。
また、取付板金５０には、図４に示すように、レンズ付ＬＥＤ基板４０のスライドを規制して位置決めするストッパ５２が形成されている。本実施形態では、ストッパ５２は、基板４２の短手方向に延びる外周部に当接するように配置されているが、ストッパ５２はレンズ付ＬＥＤ基板４０に当接する構成とすればよい。
【００２５】
平板部６２は、略矩形状を成し、その略中央には固定孔（固定部）６４が形成されている。ここで、固定孔６４は、平板部６２の略中央に設けてもよいが、ＬＥＤ４１の配列の略中央に設けることが望ましい。本実施形態では、平板部６２の中央と、ＬＥＤ４１の配列の中央が略一致している。
取付板金５０には、レンズ板６０の固定孔６４に対応する位置に、固定孔５３（例えば、ねじ孔等）が形成されている。これらの固定孔６４及び固定孔５３に、例えば、ねじ等の固定具４５を挿入して固定することで、取付板金５０の表面５０Ａにレンズ板６０が固定される。
基板４２には、レンズ板６０の固定孔６４に対応する位置に、固定孔４６が形成されている。この固定孔４６にレンズ板６０を固定する固定具４５が挿入されて、基板４２はレンズ板６０と共締めされ、各レンズ６１と基板４２のＬＥＤ４１の位置ズレが防止される。
【００２６】
レンズ板６０には、基板４２を固定する固定具４３に対応する位置に、固定具４３を逃げる逃げ部６５が形成され、レンズ板６０は、固定具４３によっては固定されず、固定孔６４に通される固定具４５によって取付板金５０に固定されている。
このように、本実施形態では、レンズ板６０が略中央に取付板金５０に固定される固定孔６４を備え、略中央の固定孔６４を中心に熱膨張・収縮が許容される構成としている。
但し、単に熱膨張・収縮を許容すると、レンズ６１とＬＥＤ４１との位置がずれ、トンネル照明器具１から照射される光量が減少するおそれがある。
そこで、本実施形態では、さらにレンズ板６０の移動を規制する位置決めピン６６，６７を設けている。
【００２７】
図１０は、位置決めピン６６，６７を示す図であり、図１０（Ａ）はレンズ付ＬＥＤ基板４０を示す背面図、図１０（Ｂ）は図１０（Ａ）のＢ部分を拡大して示す図であり、図１０（Ｃ）は図１０（Ａ）のＣ部分を拡大して示す図であり、図１０（Ｄ）は図１０（Ａ）のＤ部分を拡大して示す図である。
さらに、レンズ板６０は、所定方向の移動を規制する中間位置決めピン６６と、中間位置決めピン６６の両側に配置され、所定方向と異なる方向の移動を規制する側部位置決めピン６７とを備えている。中間位置決めピン６６は基板４２に設けた中間位置決め孔４７に挿入され、側部位置決めピン６７は基板４２に設けた側部位置決め孔４８に挿入される。
本実施形態では、中間位置決めピン６６はレンズ板６０の略中央に固定孔６４に隣接して配置され、側部位置決めピン６７は中間位置決めピン６６を通る直線Ｎ上に配置されている。また、中間位置決めピン６６はレンズ板６０の長手方向の移動を規制するように構成され、側部位置決めピン６７は、レンズ板６０の長手方向に略直交する短手方向の移動を規制するように構成されている。
【００２８】
より具体的には、中間位置決めピン６６は断面が略円形の柱状に形成され、中間位置決め孔４７は、中間位置決めピン６６に対応する位置の基板４２に、レンズ板６０の短手方向に延びる長孔として形成されている。長孔の平面部４７Ａはレンズ板６０の短手方向に延在し、長孔の半円部４７Ｂの直径は中間位置決めピン６６の直径と略同等に設定されている。これにより、中間位置決めピン６６が平面部４７Ａに当接してレンズ板６０の長手方向の移動が規制されるとともに、中間位置決めピン６６と半円部４７Ｂとの間に隙間が形成されて、レンズ板６０の短手方向の移動が許容される。
【００２９】
側部位置決め孔４８は、レンズ板６０の短手方向に延びる一対の許容平面部４８Ａと、レンズ板６０の長手方向に延びる一対の規制平面部４８Ｂとを備え、略矩形状に形成されている。側部位置決めピン６７は、レンズ板６０の長手方向に延びる移動部６７Ａと、レンズ板６０の短手方向に延びる当接部６７Ｂとを備え、断面がレンズ板６０の長手方向及び短手方向に交差する略十字形の柱状に形成されている。移動部６７Ａは許容平面部４８Ａ間の幅よりも短く形成され、当接部６７Ｂは規制平面部４８Ｂ間の幅と略同等に形成されている。これにより、当接部６７Ｂが規制平面部４８Ｂに当接してレンズ板６０の短手方向の移動が規制されるとともに、移動部６７Ａと許容平面部４８Ａとの間に隙間が形成されて、レンズ板６０の長手方向の移動が許容される。
なお、本実施形態では、中間位置決めピン６６を基板４２の厚さに収まる長さに形成し、側部位置決めピン６７は基板４２の厚さよりも長く形成しているため、取付板金５０に側部位置決めピン６７を収めるピン孔５４を形成している。
【００３０】
次に、レンズ付ＬＥＤ基板４０の作用について説明する。
光源部３０を組み付ける際には、まず、レンズ板６０のフック６３を基板４２の貫通孔４４に挿入し、基板４２とレンズ板６０とを重ね合わせることでレンズ付ＬＥＤ基板４０を構成する。このとき、中間位置決めピン６６は中間位置決め孔４７に挿入され、側部位置決めピン６７は側部位置決め孔４８に挿入され、レンズ板６０の固定孔６４と基板４２の固定孔４６の位置が一致する。
次に、レンズ付ＬＥＤ基板４０をフック６３を取付板金５０の係合穴５１に挿入するように取付板金５０に配置し、レンズ付ＬＥＤ基板４０をスライドさせて、レンズ付ＬＥＤ基板４０をストッパ５２に当接させる。このとき、固定孔６４及び固定孔４６と、固定孔５３との位置が一致する。
この状態で、基板４２を固定具４３によって取付板金５０に固定するとともに、基板４２及びレンズ板６０を固定具４５によって取付板金５０に共締めすることで、レンズ付ＬＥＤ基板４０が取付板金５０に組み付けられる。
【００３１】
レンズ板６０の１つの固定孔６４を設けてレンズ板６０を固定したため、この固定孔６４を中心にレンズ板６０の熱膨張・収縮を許容できるので、レンズ板６０の局部的な変形を抑制できる。
ここで、固定孔６４をレンズ板６０の端に設けると、熱膨張・収縮の中心となる固定孔６４と、固定孔６４から最も離れたレンズ板６０の外周部（最遠端）との間の距離が長くなり、最遠端での熱膨張・収縮の変形量が大きくなる。本実施形態では、固定孔６４をレンズ板６０の略中央に形成したため、最遠端の変形量を小さくすることができ、その結果、レンズ板６０の熱膨張・収縮によるＬＥＤ４１とレンズ６１のずれを最小限に抑えて、配光のずれを最小限に抑えることができる。
【００３２】
レンズ板６０の外周には、取付板金５０に形成した係合穴５１にスライドして係合するフック６３を設けたため、レンズ板６０のフック６３と取付板金５０の係合穴５１との係合によって、レンズ板６０の反りを抑制できる。これにより、レンズ板６０は、取付板金５０からの浮き上がりが抑制されるので、平面方向（表面５０Ａの面方向）の熱膨張・収縮が許容されることとなる。また、フック６３は、レンズ板６０の取付板金５０からの浮き上がりが比較的大きくなる外周に設けられているため、レンズ板６０の浮き上がりを効果的に防止できる。さらに、フック６３は、略中央の固定孔６４を挟んだ位置に設けられているため、少ない数でレンズ板６０の浮き上がりを防止できる。
【００３３】
フック６３には、取付板金５０の裏面５０Ｂ側に突出する突出部６３Ｄを設けたため、フック６３と取付板金５０との接触面が小さくなり、レンズ板６０が平面方向に円滑に熱膨張・収縮できる。
なお、実施形態では、レンズ板６０は突出部６３Ｄと裏面５０Ｂとの間に配光に影響がない程度の隙間を設ける設計としており、これにより、レンズ板６０が平面方向により円滑に熱膨張・収縮できる。
【００３４】
また、外壁部６３Ｂ及び側壁部６３Ｃと離間して突出部６３Ｄを設けることで、フック６３と取付板金５０の縁部との間に隙間を形成することができ、レンズ板６０が平面方向に熱膨張・収縮する際に、レンズ板６０と取付板金５０の縁部との接触を防止できる。これにより、例えば、取付板金５０の係合穴５１が打ち抜き加工によって形成されて、係合穴５１の縁部にバリが残留していても、バリがレンズ板６０に接触することを防止できる。また、取付板金５０のバリ取り工程を削減することも可能となり、製造工程を簡略化できる。また、表面５０Ａから裏面５０Ｂに向けて打ち抜いて係合穴５１を形成することで、基板４２を配置する表面５０Ａ側にバリが生じることを防止できるので、基板４２の表面５０Ａに対する平行度を向上できる。
【００３５】
レンズ板６０には、所定方向の移動を規制する中間位置決めピン６６と、中間位置決めピン６６の両側に配置され、所定方向と異なる方向の移動を規制する側部位置決めピン６７と、を設けている。この構成により、レンズ６１のＬＥＤ４１に対する移動を規制できるので、光量低下を抑制できる。
側部位置決めピン６７を、中間位置決めピン６６を通る直線Ｎ上に配置する構成とした。この構成により、レンズ板６０の平面方向の熱膨張・収縮方向（固定孔６４を中心にした半径方向）と規制方向との間の角度を考慮しなくてよいので、中間位置決めピン６６及び側部位置決めピン６７の規制方向を容易に設定できる。
【００３６】
中間位置決めピン６６は、レンズ板６０の長手方向の移動を規制し、側部位置決めピン６７は、長手方向に略直交する方向の移動を規制する構成とした。この構成により、移動（変形）量が比較的大きくなるレンズ板６０の長手方向をレンズ板６０の中央側に配置される中間位置決めピン６６で規制できるので、最遠端の変形量を小さくすることができる。これに加え、中間位置決めピン６６をレンズ板６０の略中央に設けたため、最遠端の変形量をより小さくすることができる。
また、この構成はレンズ板が長方形以外の形状であっても適用できる。すなわち、側部位置決めピン６７を、中間位置決めピン６６の両側であって中間位置決めピン６６を通る直線上に配置し、中間位置決めピン６６は、直線に沿った方向の移動を規制し、側部位置決めピン６７は、直線に直交する方向の移動を規制するように構成すればよい。
【００３７】
本実施形態では、横長配光のレンズ６１をレンズ板６０の短手方向に延在させている。ここで、横長配光のレンズ６１においては、横方向（レンズ６１の長手方向）のずれが配光に大きく影響する。中間位置決めピン６６はレンズ板６０の長手方向の移動を規制し、側部位置決めピン６７は短手方向の移動を規制する構成とすることで、レンズ板６０の固定孔６４を中心にした回転を抑制して、横方向（レンズ板６０の短手方向）の変形を抑制できる。したがって、レンズ板６０の熱膨張・収縮の配光への影響を抑制できる。
本実施形態では、側部位置決めピン６７を略十字状に形成している。ここで、側部位置決めピン６７を円柱状に形成し、側部位置決め孔４８を長孔にした場合、側部位置決めピン６７を細くすると、レンズ板６０が変形する時にかかる力で樹脂製の細い側部位置決めピン６７が折れやすくなる。一方、側部位置決めピン６７を太くすると、樹脂成形時にレンズ板６０にひけを生じやすい。側部位置決めピン６７を略十字状に形成すれば、側部位置決めピン６７を太くしても側部位置決めピン６７の凸部分の体積を比較的小さくすることができ、比較的大きな体積の側部位置決めピン６７を設けた場合に生じるレンズ板６０のひけを防止することができる。
【００３８】
以上説明したように、本実施形態によれば、複数のＬＥＤ４１を配置した基板４２と、複数のＬＥＤ４１にそれぞれ対応する複数のレンズ６１を一体に備えたレンズ板６０と、を備え、レンズ板６０には、所定方向の移動を規制する中間位置決めピン６６と、中間位置決めピン６６の両側に配置され、所定方向と異なる方向の移動を規制する側部位置決めピン６７と、を設ける構成とした。この構成により、中間位置決めピン６６及び側部位置決めピン６７によって、レンズ板６０の熱膨張・収縮が許容されるので、レンズ板６０の局部的な変形を抑制できる。また、中間位置決めピン６６及び側部位置決めピン６７によって、レンズ６１のＬＥＤ４１に対する移動を規制できるので、光量低下を抑制できる。
【００３９】
また、本実施形態によれば、側部位置決めピン６７を、中間位置決めピン６６を通る直線Ｎ上に配置する構成とした。この構成により、レンズ板６０の平面方向の熱膨張・収縮方向（固定孔６４を中心にした半径方向）と規制方向との間の角度を考慮しなくてよいので、中間位置決めピン６６及び側部位置決めピン６７の規制方向を容易に設定できる。
【００４０】
また、本実施形態によれば、中間位置決めピン６６は、直線に沿った方向の移動を規制し、側部位置決めピン６７は、直線に略直交する方向の移動を規制する構成とし、具体的には、中間位置決めピン６６は、レンズ板６０の長手方向の移動を規制し、側部位置決めピン６７は、長手方向に略直交する方向の移動を規制する構成とした。この構成により、移動（変形）量が比較的大きくなるレンズ板６０の長手方向をレンズ板６０の中央側に配置される中間位置決めピン６６で規制できるので、最遠端の変形量を小さくすることができる。
【００４１】
また、本実施形態によれば、中間位置決めピン６６をレンズ板６０の略中央に設けたため、最遠端の変形量をより小さくすることができる。
【００４２】
但し、上述の実施形態は本発明の一態様であり、本発明の趣旨を逸脱しない範囲において適宜変更可能であるのは勿論である。
例えば、上述の実施形態では、フック６３で反りを防止し、位置決めピン６６，６７によってレンズ板６０の移動を規制していたが、レンズ板６０の反りや移動を防止する構成はこれに限定されるものではない。フック６３及び位置決めピン６６，６７に代えて、例えば、図１１乃至図１３に示すように、段付スペーサ１６６を設けてもよい。
図１１は本実施形態の変形例に係る光源部１３０を示す斜視図であり、図１２は光源部１３０を示す分解斜視図であり、図１３は光源部１３０を示す断面図である。なお、図１１乃至図１３では、光源部３０と同一部分には同一の符号を付して説明を省略する。
段付スペーサ１６６は、円筒状の本体部１６６Ａと、本体部１６６Ａから径方向に延出する段部１６６Ｂとを備えている。この段付スペーサ１６６は、基板４２を固定する固定具４３に外嵌されて取り付けられ、固定具４３と基板４２との間に挟持されて固定される。段付スペーサ１６６は、本体部１６６Ａの外周面とレンズ板６０の逃げ部６５の縁部との間に隙間δが形成され、段部１６６Ｂがレンズ板６０と正面視で重なるように構成される。この隙間δによってレンズ板６０の平面方向の熱膨張・収縮が許容されるとともに、段部１６６Ｂによってレンズ板６０の反りが防止される。
なお、図１１乃至図１３の例では、段付スペーサ１６６を、基板４２を固定する固定具４３に設けたが、段付スペーサ１６６は固定具４３と個別に設けてもよい。また、図１１乃至図１３の例では、フック６３を設けているが、フック６３及びフック６３に係る構成（貫通孔４４、係合穴５１）は省略してもよい。
【００４３】
また、上述の実施形態では、フック６３を側面の２方を開放する有底角筒状に形成したが、フック６３の形状はこれに限定されるものではなく、取付板金５０の係合穴５１に係合できる形状であればよい。
また、上述の実施形態では、レンズ付ＬＥＤ基板４０を板状の取付板金５０に取り付けたが、レンズ付ＬＥＤ基板４０を取り付ける取付面を構成する部材は板金に限定されず、例えば、鋳物であってもよい。この場合、鋳物に形成した取付面に、レンズ板６０のフック６３が係合可能な係合穴（溝、又は、貫通孔）を形成すればよい。
【００４４】
また、上述の実施形態では、フック６３をレンズ板６０の外周に４つ設けていたが、フック６３の数と配置位置はこれに限定されるものではない。固定孔６４を挟んで少なくとも２つフック６３を設けることで、レンズ板６０の反りを抑制できる。
また、上述の実施形態では、フック６３をレンズ板６０と一体に形成したが、フックをレンズ板６０と別体に形成し、当該フックをレンズ板６０に固定してもよい。
【００４５】
また、上述の実施形態では、レンズ板６０と基板４２とを固定具４５によって共締めしているが、レンズ板６０と基板４２とは共締めされる必要はない。
また、上述の実施形態では、固定孔６４を１つ設けているが、固定孔６４の数は１つに限定されるものではない。例えば、レンズ板６０の略中央に複数の固定孔６４を隣接して設けてもよい。
【００４６】
また、上述の実施形態では、中間位置決めピン６６を円柱状、中間位置決め孔４７を長孔、側部位置決めピン６７を略十字形、側部位置決め孔４８を略矩形に形成したが、位置決めピン６６，６７及び位置決め孔４７，４８はこれに限定されるものではない。
また、上述の実施形態では、中間位置決めピン６６がレンズ板６０の長手方向の移動を規制し、側部位置決めピン６７が短手方向の移動を規制する構成としたが、規制方向はこれに限定されるものではない。
【００４７】
また、上述の実施形態では、レンズ板６０を樹脂で形成したが、レンズ板６０の材料は熱膨張・収縮によって取付部（取付板金５０）との熱膨張・収縮の寸法差が生じる材料であれば、樹脂に限定されるものではない。
【００４８】
また、上述の実施形態では、発光素子の一例としてＬＥＤを例示したが、これに限らず、任意の素子を用いることができる。
また、照明器具の一例としてトンネル照明器具を例示したが、これに限らず、例えば高速道路の遮音壁の壁面に設置されて路面を照明する照明器具といったように、各種の道路用照明器具に応用が可能である。また、本発明は、道路用照明器具に限定されるものではなく、任意の照明器具に適用可能である。
【符号の説明】
【００４９】
１  トンネル照明器具（照明器具）
４０  レンズ付ＬＥＤ基板（光源ユニット）
４１  ＬＥＤ（発光素子）
４２  基板
５０  取付板金
５０Ａ  表面（取付面）
６０  レンズ板
６１  レンズ
６５  逃げ部
６６  中間位置決めピン
６７  側部位置決めピン
Ｎ  直線
【図１】
0006617431.tif 000002
【図２】
0006617431.tif 000003
【図３】
0006617431.tif 000004
【図４】
0006617431.tif 000005
【図５】
0006617431.tif 000006
【図６】
0006617431.tif 000007
【図７】
0006617431.tif 000008
【図８】
0006617431.tif 000009
【図９】
0006617431.tif 000010
【図１０】
0006617431.tif 000011
【図１１】
0006617431.tif 000012
【図１２】
0006617431.tif 000013
【図１３】
0006617431.tif 000014